(57)【要約】【課題】災害発生エリアにおいて、非優先端末に対する発着信規制が行われている場合であっても、非優先端末が、優先端末からの発信要求に対して応答することを可能とする。【解決手段】本発明に係る通信開始方法は、ネットワークＭＳＣ/ＲＮＣが、送信元端末ＵＥ＃１から送信された発信要求に応じてページングを宛先端末ＵＥ＃２に対して送信する工程と、宛先端末ＵＥ＃２が、受信したページングに対して応答する工程と、ページングに対する応答によって送信元端末ＵＥ＃１と宛先端末ＵＥ＃２との間の通信を開始する工程とを有し、ページングを送信する工程において、ネットワークＭＳＣ/ＲＮＣは、優先端末から送信された発信要求に対応するページングを非優先端末から送信された発信要求に対応するページングよりも優先して宛先端末ＵＥ＃２に対して送信する。【選択図】  図５
2008098950.tif 000002
【特許請求の範囲】
【請求項１】
送信元端末から送信された宛先端末に対する発信要求に基づいて、ネットワークを介した該送信元端末と該宛先端末との間の通信を開始する通信開始方法であって、
前記ネットワークが、前記送信元端末から送信された前記発信要求に応じて、ページングを前記宛先端末に対して送信する工程と、
前記宛先端末が、受信した前記ページングに対して応答する工程と、
前記ページングに対する応答によって、前記送信元端末と前記宛先端末との間の通信を開始する工程とを有し、
前記ページングを送信する工程において、前記ネットワークは、優先端末から送信された発信要求に対応するページングを、非優先端末から送信された発信要求に対応するページングよりも優先して前記宛先端末に対して送信することを特徴とする通信開始方法。
【請求項２】
前記ページングを送信する工程において、前記ネットワーク内の無線回線制御局は、前記優先端末から送信された発信要求に対応するページングを、前記非優先端末から送信された発信要求に対応するページングよりも優先して前記宛先端末に送信することを特徴とする請求項１に記載の通信開始方法。
【請求項３】
前記ページングを送信する工程において、前記ネットワーク内の交換機は、優先端末から送信された発信要求に対する処理を、非優先端末から送信された発信要求に対する処理よりも優先して行うことを特徴とする請求項１又は２に記載の通信開始方法。
【請求項４】
前記ページングを送信する工程において、前記ネットワーク内の無線回線制御局は、前記優先端末から送信された発信要求に対応するページングに対して優先識別子を付与して送信し、
前記ページングに対して応答する工程において、前記移動局は、前記優先識別子を含むページングを受信した場合、該ページングに対する処理を、他の処理に優先して該ページングに対して応答することを特徴とする請求項２又は３に記載の通信開始方法。
【請求項５】
前記ページングを送信する工程において、
前記ネットワーク内の交換機は、前記優先端末から送信された発信要求に対応するページング送信指示に対して優先識別子を付与して前記無線回線制御局に対して送信し、
前記無線回線制御局は、前記優先識別子を含むページング送信指示を受信した場合、前記優先端末から送信された発信要求を受信したと判断することを特徴とする請求項４に記載の通信開始方法。
【請求項６】
送信元端末から送信された宛先端末に対する発信要求に基づいて、該送信元端末と該宛先端末との間の通信を開始するように構成されているネットワークで用いられる無線回線制御局であって、
前記送信元端末から送信された前記発信要求に応じて、ページングを前記宛先端末に送信するように構成されているページング送信部を具備しており、
前記ページング送信部は、優先端末から送信された発信要求に対応するページングを、非優先端末から送信された発信要求に対応するページングよりも優先して前記宛先端末に送信するように構成されていることを特徴とする無線回線制御局。
【請求項７】
交換機から受信した前記発信要求に対応するページング送信指示に優先識別子が含まれている場合に、優先端末から送信された発信要求を受信したと判断する優先処理部を具備することを特徴とする請求項６に記載の無線回線制御局。
【請求項８】
送信元端末から送信された宛先端末に対する発信要求に基づいて、該送信元端末と該宛先端末との間の通信を開始するように構成されているネットワークで用いられる交換機であって、
前記送信元端末から受信した前記発信要求に応じて、ページングを送信するように指示するページング送信指示を無線回線制御局に送信するように構成されているページング送信指示送信部を具備しており、
前記ページング送信指示送信部は、優先端末から送信された発信要求に対応するページング送信指示を、非優先端末から送信された発信要求に対応するページング送信指示よりも優先して前記無線回線制御局に送信するように構成されていることを特徴とする交換機。
【請求項９】
送信元端末から送信された宛先端末に対する発信要求に基づいて、該送信元端末と該宛先端末との間の通信を開始するように構成されているネットワークで用いられる移動局であって、
前記ネットワークから受信したページングに対して応答するように構成されているページング応答部を具備し、
前記ページング応答部は、優先識別子を含むページングを受信した場合、該ページングに対する応答を他の処理に優先して行うように構成されていることを特徴とする移動局。
【発明の詳細な説明】
【技術分野】
【０００１】
本発明は、送信元端末から送信された宛先端末に対する発信要求に基づいて、ネットワークを介した該送信元端末と該宛先端末との間の通信を開始する通信開始方法、無線回線制御局、交換機及び移動局に関する。
【背景技術】
【０００２】
従来の移動通信システムでは、災害発生エリアでは、優先端末宛ての通信を優先するために、非優先端末に対して発着信規制を行うように構成されている。
【０００３】
図７乃至図９を参照して、かかる発着信規制時の従来の移動通信システムの動作について説明する。なお、移動局ＵＥ＃２の位置登録エリア２が、災害発生エリアであるものとする。すなわち、位置登録エリア２では、非優先端末に対して発着信規制が行われているものとする。
【０００４】
第１に、図７及び図８を参照して、「Ｐｒｅ-Ｐａｇｉｎｇ」が適用されている移動通信システムにおける動作について説明する。
【０００５】
図７及び図８に示すように、ステップＳ３００１において、送信元端末である移動局ＵＥ＃１は、当該移動局ＵＥ＃１が在圏する回線交換機ＭＳＣ（Ｍｏｂｉｌｅ  Ｓｗｉｔｃｈｉｎｇ  Ｃｅｎｔｒｅ）＃１に対して、宛先端末である移動局ＵＥ＃２（非優先端末）に対する発信要求を送信する。
【０００６】
ステップＳ３００２において、回線交換機ＭＳＣ＃１は、ＶＬＲ（Ｖｉｓｉｔｏｒ  Ｌｏｃａｔｉｏｎ  Ｒｅｇｉｓｔｅｒ）＃１と協働して、移動局ＵＥ＃１についての加入者情報（契約状態等）を分析する。
【０００７】
移動局ＵＥ＃１についての加入者情報を分析した結果、特に問題がない場合、ステップＳ３００３において、回線交換機ＭＳＣ＃１は、移動局ＵＥ＃２のＨＬＲ（Ｈｏｍｅ  Ｌｏｃａｔｉｏｎ  Ｒｅｇｉｓｔｅｒ）に対して、移動局ＵＥ＃２宛てのルーティング情報を要求するルーティング取得要求（ＳＲＩ）を送信する。
【０００８】
ステップＳ３００４において、ＨＬＲが、移動局ＵＥ＃２についての加入者情報（契約状態等）を分析する。
【０００９】
移動局ＵＥ＃２についての加入者情報を分析した結果、特に問題がない場合、ステップＳ３００５において、ＨＬＲは、移動局ＵＥ＃２が在圏する回線交換機ＭＳＣ＃２に対して、移動局ＵＥ＃２に一時的に割り当てられているルーティング番号を問い合わせるルーティング番号払出し要求（ＰＲＮ）を送信する。
【００１０】
ステップＳ３００６において、回線交換機ＭＳＣ＃２が、無線回線制御局ＲＮＣ＃２を介して、移動局ＵＥ＃２が在圏する位置登録エリアに対して、移動局ＵＥ＃２に対するページング（Ｐａｇｉｎｇ）を送信することによって、一斉呼出を行う。
【００１１】
ここで、移動局ＵＥ＃２の位置登録エリアでは、非優先端末に対して発着信規制が行われているため、非優先端末である移動局ＵＥ＃２は、かかるページング（移動局ＵＥ＃１からの発信要求）に対して応答することができない。
【００１２】
その結果、災害発生エリアである位置登録エリア２における輻輳による回線交換機ＭＳＣの処理不能状態を回避することができ、優先端末宛ての通信を可能とすることができる。
【００１３】
第２に、図９を参照して、「Ｐｒｅ-Ｐａｇｉｎｇ」が適用されていない移動通信システムにおける動作について説明する。
【００１４】
図９に示すように、ステップＳ４００１において、送信元端末である移動局ＵＥ＃１は、当該移動局ＵＥ＃１が在圏する回線交換機ＭＳＣ＃１に対して、宛先端末である移動局ＵＥ＃２（非優先端末）に対する発信要求を送信する。
【００１５】
ステップＳ４００２において、回線交換機ＭＳＣ＃１は、ＶＬＲ＃１と協働して、移動局ＵＥ＃１についての加入者情報（契約状態等）を分析する。
【００１６】
移動局ＵＥ＃１についての加入者情報を分析した結果、特に問題がない場合、ステップＳ４００３において、回線交換機ＭＳＣ＃１は、移動局ＵＥ＃２のＨＬＲに対して、移動局ＵＥ＃２宛てのルーティング情報を要求するルーティング取得要求（ＳＲＩ）を送信する。
【００１７】
ステップＳ４００４において、ＨＬＲが、移動局ＵＥ＃２についての加入者情報（契約状態等）を分析する。
【００１８】
移動局ＵＥ＃２についての加入者情報を分析した結果、特に問題がない場合、ステップＳ４００５において、ＨＬＲは、移動局ＵＥ＃２が在圏する回線交換機ＭＳＣ＃２に対して、移動局ＵＥ＃２に一時的に割り当てられているルーティング番号を問い合わせるルーティング番号払出し要求（ＰＲＮ）を送信する。
【００１９】
ステップＳ４００６において、回線交換機ＭＳＣ＃２は、受信したルーティング番号払出し要求（ＰＲＮ）に応じて、ＨＬＲに対して、移動局ＵＥ＃２に一時的に割り当てられているルーティング番号を通知するためのルーティング番号払出し応答（ＰＲＮ.ａｃｋ）を送信する。
【００２０】
ステップＳ４００７において、ＨＬＲは、回線交換機ＭＳＣ＃１に対して、上述のルーティング情報取得要求に対応するルーティング情報取得応答（ＳＲＩ.ａｃｋ）を送信する。
【００２１】
ステップＳ４００８において、回線交換機ＭＳＣ＃１は、回線交換機ＭＳＣ＃２に対して、回線交換機ＭＳＣ＃１と回線交換機ＭＳＣ＃２との間で回線を設定することを要求する回線設定要求を送信する。
【００２２】
ステップＳ４００９において、回線交換機ＭＳＣ＃２が、無線回線制御局ＲＮＣ＃２を介して、移動局ＵＥ＃２が在圏する位置登録エリアに対して、移動局ＵＥ＃２に対するページングを送信することによって、一斉呼出を行う。
【００２３】
図９の場合も、移動局ＵＥ＃２の位置登録エリアでは、非優先端末に対して発着信規制が行われているため、非優先端末である移動局ＵＥ＃２は、かかるページング（移動局ＵＥ＃１からの発信要求）に対して応答することができない。
【非特許文献１】３ＧＰＰ  ＴＳ２２.０１１、「Ｓｅｒｖｉｃｅ  ａｃｃｅｓｓｉｂｉｌｉｔｙ」
【非特許文献２】３ＧＰＰ  ＴＳ２３.０６７、「Ｅｎｈａｎｃｅｄ  Ｍｕｌｔｉ-Ｌｅｖｅｌ  Ｐｒｅｃｅｄｅｎｃｅ  ａｎｄ  Ｐｒｅ-ｅｍｐｔｉｏｎ  Ｓｅｒｖｉｃｅ（ｅＭＬＰＰ）；Ｓｔａｇｅ  ２」
【非特許文献３】３ＧＰＰ  ＴＳ２４.０６７、「Ｅｎｈａｎｃｅｄ  Ｍｕｌｔｉ-Ｌｅｖｅｌ  Ｐｒｅｃｅｄｅｎｃｅ  ａｎｄ  Ｐｒｅ-ｅｍｐｔｉｏｎ  Ｓｅｒｖｉｃｅ（ｅＭＬＰＰ）；Ｓｔａｇｅ  ３」
【非特許文献４】ＩＴＵ-Ｔ  Ｒｅｃｏｍｍｅｎｄａｔｉｏｎ  Ｑ.８５、「Ｓｔａｇｅ  ２  ｄｅｓｃｒｉｐｔｉｏｎ  ｆｏｒ  ｃｏｍｍｕｎｉｔｙ  ｏｆ  ｉｎｔｅｒｅｓｔ  ｓｕｐｐｌｅｍｅｎｔａｒｙ  ｓｅｒｖｉｃｅｓ  （ｃｌａｕｓｅ  ３：Ｍｕｔｌｉ-Ｌｅｖｅｌ  Ｐｒｅｃｅｄｅｎｃｅ  ａｎｄ  Ｐｒｅ-ｅｍｐｔｉｏｎ  ＭＬＰＰ）」
【非特許文献５】ＩＴＵ-Ｔ  Ｒｅｃｏｍｍｅｎｄａｔｉｏｎ  Ｑ.７３５、「Ｓｔａｇｅ  ３  ｄｅｓｃｒｉｐｔｉｏｎ  ｆｏｒ  ｃｏｍｍｕｎｉｔｙ  ｏｆ  ｉｎｔｅｒｅｓｔ  ｓｕｐｐｌｅｍｅｎｔａｒｙ  ｓｅｒｖｉｃｅｓ  ｕｓｉｎｇ  ＳＳ  Ｎｏ.７（ｃｌａｕｓｅ  ３：Ｍｕｔｌｉ-Ｌｅｖｅｌ  Ｐｒｅｃｅｄｅｎｃｅ  ａｎｄ  Ｐｒｅ-ｅｍｐｔｉｏｎ  ＭＬＰＰ）」
【発明の開示】
【発明が解決しようとする課題】
【００２４】
しかしながら、従来の移動通信システムでは、上述のように、災害発生エリアである位置登録エリア２において、非優先端末に対して発着信規制が行われている場合、非優先端末は、非優先端末からの発信要求に対して応答することができないだけでなく、優先端末からの発信要求に対しても応答することができないという問題点があった。
【００２５】
すなわち、上述の従来の移動通信システムでは、移動局ＵＥ＃１が、優先端末である場合であっても、非優先端末である移動局ＵＥ＃２との間で、通信を行うことができないという問題点があった。
【００２６】
また、従来の移動通信システムでは、災害発生エリアである位置登録エリア２において、非優先端末に対して発着信規制が行われていない場合であっても、交換機ＭＳＣや無線回線制御局ＲＮＣの処理能力を超える量のトラフィックが発生した場合には、交換機ＭＳＣや無線回線制御局ＲＮＣにおいて、非優先端末からの発信要求に対応する処理だけでなく、優先端末からの発信要求に対応する処理（例えば、ページングの送信処理等）についても行われなくなってしまうという問題点があった。
【００２７】
かかる場合、災害発生エリアである位置登録エリア２において、発信規制のみが行われており、着信は許容されている場合であっても、移動局ＵＥ＃１が、移動局ＵＥ＃２との間で、通信を行うことができないという問題点があった。
【００２８】
そこで、本発明は、上述の課題に鑑みてなされたものであり、災害発生エリアにおいて、非優先端末に対する発着信規制が行われている場合であっても、非優先端末が、優先端末からの発信要求に対して応答することを可能とする通信開始方法、無線回線制御局、交換機及び移動局を提供することを目的とする。
【課題を解決するための手段】
【００２９】
本発明の第１の特徴は、送信元端末から送信された宛先端末に対する発信要求に基づいて、ネットワークを介した該送信元端末と該宛先端末との間の通信を開始する通信開始方法であって、前記ネットワークが、前記送信元端末から送信された前記発信要求に応じて、ページングを前記宛先端末に対して送信する工程と、前記宛先端末が、受信した前記ページングに対して応答する工程と、前記ページングに対する応答によって、前記送信元端末と前記宛先端末との間の通信を開始する工程とを有し、前記ページングを送信する工程において、前記ネットワークは、優先端末から送信された発信要求に対応するページングを、非優先端末から送信された発信要求に対応するページングよりも優先して前記宛先端末に対して送信することを要旨とする。
【００３０】
本発明の第１の特徴において、前記ページングを送信する工程において、前記ネットワーク内の無線回線制御局は、前記優先端末から送信された発信要求に対応するページングを、前記非優先端末から送信された発信要求に対応するページングよりも優先して前記宛先端末に送信してもよい。
【００３１】
本発明の第１の特徴において、前記ページングを送信する工程において、前記ネットワーク内の交換機は、優先端末から送信された発信要求に対する処理を、非優先端末から送信された発信要求に対する処理よりも優先して行ってもよい。
【００３２】
本発明の第１の特徴において、前記ページングを送信する工程において、前記ネットワーク内の無線回線制御局は、前記優先端末から送信された発信要求に対応するページングに対して優先識別子を付与して送信し、前記ページングに対して応答する工程において、前記移動局は、前記優先識別子を含むページングを受信した場合、該ページングに対する処理を、他の処理に優先して該ページングに対して応答してもよい。
【００３３】
本発明の第１の特徴において、前記ページングを送信する工程において、前記ネットワーク内の交換機は、前記優先端末から送信された発信要求に対応するページング送信指示に対して優先識別子を付与して前記無線回線制御局に対して送信し、前記無線回線制御局は、前記優先識別子を含むページング送信指示を受信した場合、前記優先端末から送信された発信要求を受信したと判断してもよい。
【００３４】
本発明の第２の特徴は、送信元端末から送信された宛先端末に対する発信要求に基づいて、該送信元端末と該宛先端末との間の通信を開始するように構成されているネットワークで用いられる無線回線制御局であって、前記送信元端末から送信された前記発信要求に応じて、ページングを前記宛先端末に送信するように構成されているページング送信部を具備しており、前記ページング送信部は、優先端末から送信された発信要求に対応するページングを、非優先端末から送信された発信要求に対応するページングよりも優先して前記宛先端末に送信するように構成されていることを要旨とする。
【００３５】
本発明の第２の特徴において、受信した前記発信要求に対応するページング送信指示に優先識別子が含まれている場合に、優先端末から送信された発信要求を受信したと判断する優先処理部を具備してもよい。
【００３６】
本発明の第３の特徴は、送信元端末から送信された宛先端末に対する発信要求に基づいて、該送信元端末と該宛先端末との間の通信を開始するように構成されているネットワークで用いられる交換機であって、前記送信元端末から受信した前記発信要求に応じて、ページングを送信するように指示するページング送信指示を無線回線制御局に送信するように構成されているページング送信指示送信部を具備しており、前記ページング送信指示送信部は、優先端末から送信された発信要求に対応するページング送信指示を、非優先端末から送信された発信要求に対応するページング送信指示よりも優先して前記無線回線制御局に送信するように構成されていることを要旨とする。
【００３７】
本発明の第４の特徴は、送信元端末から送信された宛先端末に対する発信要求に基づいて、該送信元端末と該宛先端末との間の通信を開始するように構成されているネットワークで用いられる移動局であって、前記ネットワークから受信したページングに対して応答するように構成されているページング応答部を具備し、前記ページング応答部は、優先識別子を含むページングを受信した場合、該ページングに対する応答を他の処理に優先して行うように構成されていることを要旨とする。
【発明の効果】
【００３８】
以上説明したように、本発明によれば、災害発生エリアにおいて、非優先端末に対する発着信規制が行われている場合であっても、非優先端末が、優先端末からの発信要求に対して応答することを可能とする通信開始方法、無線回線制御局、交換機及び移動局を提供することができる。
【発明を実施するための最良の形態】
【００３９】
（本発明の第１の実施形態に係る移動通信システムの構成）
図１乃至図３、図５を参照して、本発明の第１の実施形態に係る移動通信システムの構成について説明する。
【００４０】
本実施形態に係る移動通信システムは、図５に示すように、送信元端末（移動局ＵＥ＃１）から送信された宛先端末（移動局ＵＥ＃２）に対する発信要求に基づいて、当該送信元端末と当該宛先端末との間の通信を開始するように構成されている。
【００４１】
なお、本実施形態に係る移動通信システムでは、「Ｐｒｅ-Ｐａｇｉｎｇ」が適用されているものとする。
【００４２】
図１に示すように、回線交換機ＭＳＣは、発信要求受信部１１と、発信分析部１２と、優先処理部１３と、ルーティング情報取得要求送信部１４と、ルーティング情報取得応答受信部１５と、回線設定部１６と、ルーティング番号払出し要求受信部１７と、ページング送信指示送信部１８と、ページング応答受信部１９と、ルーティング番号払出し応答送信部２０とを具備している。
【００４３】
発信要求受信部１１は、当該回線交換機ＭＳＣに在圏する送信元端末によって送信された宛先端末宛ての発信要求を受信するように構成されている。
【００４４】
発信分析部１２は、送信元端末についての加入者情報（契約状態等）を分析するように構成されている。
【００４５】
優先処理部１３は、発信要求受信部１１により受信された宛先端末宛ての発信要求が、優先的に処理されるべき発信要求であるか否かについて判定するように構成されている。
【００４６】
具体的には、優先処理部１３は、発信要求受信部１１により受信された宛先端末宛ての発信要求が、優先端末から送信された発信要求であるか否かについて判定することによって、優先的に処理されるべき発信要求であるか否かについて判定するように構成されている。
【００４７】
また、優先処理部１３は、優先端末から送信された発信要求に対する処理を、非優先端末から送信された発信要求に対する処理よりも優先して行うように、ルーティング情報取得要求送信部１４や回線設定部１６やページング送信指示送信部１８やルーティング番号払出し応答送信部２０等に指示するように構成されている。
【００４８】
ルーティング情報取得要求送信部１４は、発信分析部１２による分析結果において特に問題がない場合、宛先端末のＨＬＲに対して、宛先端末宛てのルーティング情報を要求するルーティング取得要求（ＳＲＩ）を送信するように構成されている。
【００４９】
なお、ルーティング情報取得要求送信部１４は、優先処理部１３からの指示に応じて、優先端末から送信された発信要求に対応するルーティング情報取得要求を、非優先端末から送信された発信要求に対応するルーティング情報取得要求よりも優先して宛先端末のＨＬＲに送信するように構成されていてもよい。
【００５０】
具体的には、ルーティング情報取得要求送信部１４は、優先端末から送信された発信要求に対応するルーティング情報取得要求に対して優先識別子を付与して送信するように構成されている。
【００５１】
ルーティング情報取得応答受信部１５は、宛先端末のＨＬＲから、上述のルーティング情報取得要求に対応するルーティング情報取得応答（ＳＲＩ.ａｃｋ）を受信して、宛先端末宛てのルーティング情報を取得するように構成されている。
【００５２】
回線設定部１６は、ルーティング情報取得応答受信部１５により取得された宛先端末宛てのルーティング情報を用いて、宛先端末が在圏する回線交換機との間で回線を設定するように構成されている。
【００５３】
なお、回線設定部１６は、優先処理部１３からの指示に応じて、優先端末から送信された発信要求に対応する回線を、非優先端末から送信された発信要求に対応する回線よりも優先して設定するように構成されていてもよい。
【００５４】
ルーティング番号払出し要求受信部１７は、ＨＬＲから、宛先端末に一時的に割り当てられているルーティング番号を問い合わせるルーティング番号払出し要求（ＰＲＮ）を受信するように構成されている。
【００５５】
ページング送信指示送信部１８は、ルーティング番号払出し要求受信部１７により受信されたルーティング番号払出し要求（すなわち、送信元端末から受信した発信要求）に応じて、無線回線制御局ＲＮＣに対して、宛先端末宛てのページングを送信するように指示するページング送信指示を送信するように構成されている。
【００５６】
なお、ページング送信指示送信部１８は、優先処理部１３からの指示に応じて、優先端末から送信された発信要求に対応するページング送信指示を、非優先端末から送信された発信要求に対応するページング送信指示よりも優先して無線回線制御局ＲＮＣに送信するように構成されていてもよい。
【００５７】
具体的には、ページング送信指示送信部１８は、優先端末から送信された発信要求に対応するページング送信指示に対して優先識別子を付与して送信するように構成されている。
【００５８】
ページング応答受信部１９は、無線回線制御局ＲＮＣを介して宛先端末から送信されたページング応答を受信するように構成されている。なお、ページング応答は、宛先端末が、無線回線制御局ＲＮＣから送信されたページングに対して応答可能であることを通知するものである。
【００５９】
ルーティング番号払出し応答送信部２０は、ページング応答受信部１９により受信されたページング応答に応じて、ＨＬＲに対して、宛先端末に一時的に割り当てられているルーティング番号を通知するためのルーティング番号払出し応答（ＰＲＮ.ａｃｋ）を送信するように構成されている。
【００６０】
なお、ページング送信指示送信部１８は、優先処理部１３からの指示に応じて、優先端末から送信された発信要求に対応するルーティング番号払出し応答を、非優先端末から送信された発信要求に対応するルーティング番号払出し応答よりも優先してＨＬＲに送信するように構成されていてもよい。
【００６１】
図２に示すように、無線回線制御局ＲＮＣは、ページング送信指示受信部２１と、優先処理部２２と、ページング送信部２３と、ページング応答受信部２４と、ページング応答送信部２５とを具備している。
【００６２】
ページング送信指示受信部２１は、宛先端末の在圏する回線交換機ＭＳＣから送信されたページング送信指示を受信するように構成されている。
【００６３】
優先処理部２２は、ページング送信指示受信部２１により受信されたページング送信指示に応じて、優先端末から送信された発信要求に対応する処理を、非優先端末から送信された発信要求に対応するよりも優先して行うように、ページング通知部２３やページング応答送信部２５等に指示するように構成されている。
【００６４】
具体的には、優先処理部２２は、ページング送信指示受信部２１により受信されたページング送信指示に優先識別子が含まれている場合、かかるページング送信指示が、優先端末から送信された発信要求に対応するページング送信指示であると判定する。
【００６５】
ページング通知部２３は、送信元端末から送信された発信要求に対応するページング送信指示に応じて、ページングを、宛先端末に送信するように構成されている。
【００６６】
具体的には、ページング通知部２３は、優先処理部２２からの指示に応じて、優先端末から送信された発信要求に対応するページングを、非優先端末から送信された発信要求に対応するページングよりも優先して宛先端末に送信するように構成されていてもよい。
【００６７】
なお、ページング通知部２３は、優先端末から送信された発信要求に対応するページングに対して優先識別子を付与して送信するように構成されている。
【００６８】
ページング応答受信部２４は、宛先端末から送信されたページング応答を受信するように構成されている。なお、ページング応答は、宛先端末が、ページング通知部２３により送信されたページングに対して応答可能であることを通知するものである。
【００６９】
ページング応答送信部２５は、宛先端末から送信されたページング応答を無線回線制御局ＲＮＣに対して送信するように構成されている。
【００７０】
なお、ページング応答送信部２５は、優先処理部２２からの指示に応じて、優先端末から送信された発信要求に対応するページング応答を、非優先端末から送信された発信要求に対応するページング応答よりも優先して無線回線制御局ＲＮＣに送信するように構成されていてもよい。
【００７１】
図３に示すように、移動局ＵＥは、ページング受信部３１と、規制情報管理部３２と、優先処理部３３と、ページング応答部３４と、通信処理部３５とを具備している。なお、本実施形態では、移動局ＵＥは、非優先端末であるものとする。
【００７２】
ページング受信部３１は、ネットワーク（回線交換機ＭＳＣ又は無線回線制御局ＲＮＣ）から送信された宛先端末宛てのページングを受信するように構成されている。
【００７３】
規制情報管理部３２は、当該移動局ＵＥに対する規制情報を管理するように構成されている。例えば、規制情報管理部３２には、回線交換機ＭＳＣにおいて発着信処理や位置登録処理を規制するための規制情報が管理されている。
【００７４】
優先処理部３３は、ページング受信部３１により優先識別子を含むページングが受信された場合、当該ページングに対する処理を他の処理に優先して行うように、ページング応答部３４や通信処理部３５に指示するように構成されている。
【００７５】
ページング応答部３４は、ページング受信部３１により受信されたページングに対して応答するように構成されている。
【００７６】
具体的には、ページング応答部３４は、優先処理部３３からの指示に応じて、優先識別子を含むページングに対する応答を他の処理に優先して行うように構成されている。
【００７７】
例えば、ページング応答部３４は、優先処理部３３からの指示に応じて、優先端末からの発信要求に対応するページングに対する応答を、非優先端末からの発信要求に対応するページングに対する応答よりも優先して行うように構成されている。
【００７８】
通信処理部３５は、送信元端末との間の通信処理（例えば、着信処理や通信終了処理等）を行うように構成されている。
【００７９】
なお、通信処理部３５は、優先処理部３３からの指示に応じて、優先識別子を含むページングに対する応答を他の処理に優先して行うように構成されている。
【００８０】
例えば、通信処理部３５は、非優先端末との間で通信を行っている場合であっても、優先処理部３３から優先識別子を含むページングに対する応答を行うように指示された場合、かかる非優先端末との間の通信を終了させた上で、優先識別子を含むページングに対する応答を行うように構成されていてもよい。
【００８１】
なお、通信処理部３５は、規制情報管理部３２により管理されている規制情報により規制されている処理（例えば、発着信処理や位置登録処理等）を行わないように構成されている。
【００８２】
（本発明の第１の実施形態に係る移動通信システムの動作）
図４及び図５を参照して、本発明の第１の実施形態に係る移動通信システムの動作について説明する。
【００８３】
なお、本実施形態に係る移動通信システムでは、移動局ＵＥ＃２の位置登録エリア２が、災害発生エリアであるものとし、かかる位置登録エリア２において、非優先端末に対して発着信規制が行われているものとする。
【００８４】
ステップＳ１００１において、送信元端末である移動局ＵＥ＃１は、当該移動局ＵＥ＃１が在圏する回線交換機ＭＳＣ＃１に対して、宛先端末である移動局ＵＥ＃２（非優先端末）に対する発信要求を送信する。
【００８５】
ステップＳ１００２において、回線交換機ＭＳＣ＃１は、ＶＬＲ＃１と協働して、移動局ＵＥ＃１についての加入者情報（契約状態等）を分析する。
【００８６】
移動局ＵＥ＃１についての加入者情報を分析した結果、特に問題がない場合、ステップＳ１００３において、回線交換機ＭＳＣ＃１は、移動局ＵＥ＃２のＨＬＲに対して、移動局ＵＥ＃２宛てのルーティング情報を要求するルーティング取得要求（ＳＲＩ）を送信する。
【００８７】
なお、移動局ＵＥ＃２（非優先端末）に対する発信要求が、非優先端末からのものである場合、回線交換機ＭＳＣ＃１は、かかる発信要求に対応するルーティング取得要求（ＳＲＩ）を、移動局ＵＥ＃２のＨＬＲに対して送信しなくてもよい。
【００８８】
ステップＳ１００４において、ＨＬＲが、移動局ＵＥ＃２についての加入者情報（契約状態等）を分析する。
【００８９】
移動局ＵＥ＃２についての加入者情報を分析した結果、特に問題がない場合、ステップＳ１００５において、ＨＬＲは、移動局ＵＥ＃２が在圏する回線交換機ＭＳＣ＃２に対して、移動局ＵＥ＃２に一時的に割り当てられているルーティング番号を問い合わせるルーティング番号払出し要求（ＰＲＮ）を送信する。
【００９０】
なお、移動局ＵＥ＃２（非優先端末）に対する発信要求が、非優先端末からのものである場合、ＨＬＲは、かかる発信要求に対応するルーティング番号払出し要求（ＰＲＮ）を、無線回線制御局ＲＮＣ＃２に対して送信しなくてもよい。
【００９１】
ステップＳ１００６において、回線交換機ＭＳＣ＃２が、無線回線制御局ＲＮＣ＃２を介して、移動局ＵＥ＃２が在圏する位置登録エリアに対して、移動局ＵＥ＃２に対するページングを送信することによって、一斉呼出を行う。
【００９２】
なお、移動局ＵＥ＃２（非優先端末）に対する発信要求が、非優先端末からのものである場合、無線回線制御局ＲＮＣ＃２は、かかる発信要求に対応するページングを、移動局ＵＥ＃２に対して送信しなくてもよい。
【００９３】
ここで、移動局ＵＥ＃２の位置登録エリアでは、非優先端末に対して発着信規制が行われているが、非優先端末である移動局ＵＥ＃２は、優先端末からの発信要求に対応するページングについては受信することができるため、移動局ＵＥ＃１からの発信要求に対応するページングに対して応答する。
【００９４】
ステップＳ１００７において、回線交換機ＭＳＣ＃２は、受信したページング応答に応じて、ＨＬＲに対して、宛先端末に一時的に割り当てられているルーティング番号を通知するためのルーティング番号払出し応答（ＰＲＮ.ａｃｋ）を送信する。
【００９５】
ステップＳ１００８において、ＨＬＲは、回線交換機ＭＳＣ＃１に対して、上述のルーティング情報取得要求に対応するルーティング情報取得応答（ＳＲＩ.ａｃｋ）を送信する。
【００９６】
ステップＳ１００９において、回線交換機ＭＳＣ＃１は、ルーティング情報取得応答受信部１５により取得された宛先端末宛てのルーティング情報を用いて、回線交換機ＭＳＣ＃２との間で回線を設定する。
【００９７】
ステップＳ１０１０において、移動局ＵＥ＃１と移動局ＵＥ＃２との間で、ステップＳ１００９において設定された回線を用いて通信を開始する。
【００９８】
（本発明の第１の実施形態に係る移動通信システムの作用・効果）
本発明の第１の実施形態に係る移動通信システムによれば、災害発生エリアにおいて、非優先端末（宛先端末ＵＥ＃２）に対する発着信規制が行われている場合であっても、宛先端末ＵＥ＃２の在圏する回線交換機ＭＳＣ＃２配下の無線回線制御局ＲＮＣ＃２が、優先端末からの発信要求に対応するページングだけは宛先端末ＵＥ＃２に対して送信するように構成されているため、非優先端末である宛先端末ＵＥ＃２が、優先端末である送信元端末ＵＥ＃１からの発信要求に対して応答することができる。
【００９９】
（本発明の第２の実施形態に係る移動通信システム）
図６を参照して、本発明の第２の実施形態に係る移動通信システムについて説明する。以下、本実施形態に係る移動通信システムについて、上述の第１の実施形態に係る移動通信システムとの相違点に着目して説明する。
【０１００】
本実施形態に係る移動通信システムでは、「Ｐｒｅ-Ｐａｇｉｎｇ」が適用されていないものとする。
【０１０１】
ここで、図６を参照して、「Ｐｒｅ-Ｐａｇｉｎｇ」が適用されていない本実施形態に係る移動通信システムにおいて、災害発生エリアで、非優先端末に対して発着信規制を行う動作について説明する。
【０１０２】
本実施形態では、上述の第１の実施形態の場合と同様に、移動局ＵＥ＃２の位置登録エリア２が、災害発生エリアであるものとする。すなわち、位置登録エリア２では、非優先端末に対して発着信規制が行われているものとする。
【０１０３】
図６に示すように、ステップＳ２００１において、送信元端末である移動局ＵＥ＃１は、当該移動局ＵＥ＃１が在圏する回線交換機ＭＳＣ＃１に対して、宛先端末である移動局ＵＥ＃２（非優先端末）に対する発信要求を送信する。
【０１０４】
ステップＳ２００２において、回線交換機ＭＳＣ＃１は、ＶＬＲ＃１と協働して、移動局ＵＥ＃１についての加入者情報（契約状態等）を分析する。
【０１０５】
移動局ＵＥ＃１についての加入者情報を分析した結果、特に問題がない場合、ステップＳ２００３において、回線交換機ＭＳＣ＃１は、移動局ＵＥ＃２のＨＬＲに対して、移動局ＵＥ＃２宛てのルーティング情報を要求するルーティング取得要求（ＳＲＩ）を送信する。
【０１０６】
ステップＳ２００４において、ＨＬＲが、移動局ＵＥ＃２についての加入者情報（契約状態等）を分析する。
【０１０７】
移動局ＵＥ＃２についての加入者情報を分析した結果、特に問題がない場合、ステップＳ２００５において、ＨＬＲは、移動局ＵＥ＃２が在圏する回線交換機ＭＳＣ＃２に対して、移動局ＵＥ＃２に一時的に割り当てられているルーティング番号を問い合わせるルーティング番号払出し要求（ＰＲＮ）を送信する。
【０１０８】
ステップＳ２００６において、回線交換機ＭＳＣ＃２は、受信したルーティング番号払出し要求（ＰＲＮ）に応じて、ＨＬＲに対して、移動局ＵＥ＃２に一時的に割り当てられているルーティング番号を通知するためのルーティング番号払出し応答（ＰＲＮ.ａｃｋ）を送信する。
【０１０９】
ステップＳ２００７において、ＨＬＲは、回線交換機ＭＳＣ＃１に対して、上述のルーティング情報取得要求に対応するルーティング情報取得応答（ＳＲＩ.ａｃｋ）を送信する。
【０１１０】
ステップＳ２００８において、回線交換機ＭＳＣ＃１は、回線交換機ＭＳＣ＃２に対して、回線交換機ＭＳＣ＃１と回線交換機ＭＳＣ＃２との間で回線を設定することを要求する回線設定要求を送信する。
【０１１１】
ステップＳ２００９において、回線交換機ＭＳＣ＃２が、無線回線制御局ＲＮＣ＃２を介して、移動局ＵＥ＃２が在圏する位置登録エリアに対して、移動局ＵＥ＃２に対するページングを送信することによって、一斉呼出を行う。
【０１１２】
ここで、移動局ＵＥ＃２の位置登録エリアでは、非優先端末に対して発着信規制が行われているが、非優先端末である移動局ＵＥ＃２は、優先端末からの発信要求に対応するページングについては受信することができるため、移動局ＵＥ＃１からの発信要求に対応するページングに対して応答する。
【０１１３】
ステップＳ２０１０において、回線交換機ＭＳＣ＃１は、ルーティング情報取得応答受信部１５により取得された宛先端末宛てのルーティング情報を用いて、回線交換機ＭＳＣ＃２との間で回線を設定する。
【０１１４】
ステップＳ２０１１において、移動局ＵＥ＃１と移動局ＵＥ＃２との間で、ステップＳ２０１０において設定された回線を用いて通信を開始する。
【図面の簡単な説明】
【０１１５】
【図１】本発明の第１の実施形態に係る回線交換機の機能ブロック図である。
【図２】本発明の第１の実施形態に係る無線回線制御局の機能ブロック図である。
【図３】本発明の第１の実施形態に係る移動局の機能ブロック図である。
【図４】本発明の第１の実施形態に係る移動通信システムの動作を示すシーケンス図である。
【図５】本発明の第１の実施形態に係る移動通信システムの動作を説明するための図である。
【図６】本発明の第２の実施形態に係る移動通信システムの動作を示すシーケンス図である。
【図７】従来の移動通信システムの動作を示すシーケンス図である。
【図８】従来の移動通信システムの動作を説明するための図である。
【図９】従来の移動通信システムの動作を示すシーケンス図である。
【符号の説明】
【０１１６】
ＭＳＣ…回線交換機
１１…発信要求受信部
１２…発信分析部
１３、２２、３３…優先処理部
１４…ルーティング情報取得要求送信部
１５…ルーティング情報取得応答受信部
１６…回線設定部
１７…ルーティング番号払出し要求受信部
１８…ページング送信指示送信部
１９、２４…ページング応答受信部
２０…ルーティング番号払出し応答送信部
ＲＮＣ…無線回線制御局
２１…ページング送信指示受信部
２３…ページング送信部
２５…ページング応答送信部
ＵＥ…移動局
３１…ページング受信部
３２…規制情報管理部
３４…ページング応答部
３５…通信処理部
【図１】
2008098950.tif 000003
【図２】
2008098950.tif 000004
【図３】
2008098950.tif 000005
【図４】
2008098950.tif 000006
【図５】
2008098950.tif 000007
【図６】
2008098950.tif 000008
【図７】
2008098950.tif 000009
【図８】
2008098950.tif 000010
【図９】
2008098950.tif 000011